Podtech/llm-jp-corpus-v4-ja_patent huggingface dataset:
(57)【要約】      （修正有）【課題】蓋を手前開きとし、蓋の内側をスタンプ・ゴム印の置場とすることを明確にしたスタンプ台を提供する。【解決手段】インク浸透布部材１の手前に、蝶番（回転可能部材）２を取り付け、前記蝶番２により開閉可能となるようインク浸透布部材１の蓋３を設け、かつ、前記蓋３の表面又は裏面にメーカー名・製造会社名・製品名・商標名・シンボルマーク・広告会社名・絵・写真・文字を印字４又は表記することにより使用方向を明確に示した。【選択図】図１
0003202680.tif 000002
【実用新案登録請求の範囲】
【請求項１】
インク浸透布部材（１）の手前に、蝶番（回転可能部材）（２）を取り付け、前記蝶番（２）により開閉可能となるようインク浸透布部材（１）の蓋（３）を設け、かつ、前記蓋（３）の表面又は裏面にメーカー名・製造会社名・製品名・商標名・シンボルマーク・広告会社名・絵・写真・文字を印字又は表記することにより使用方向を明確に示した、手前開きを特徴とするスタンプ台。
【請求項２】
前記蓋（３）を開いた状態の内側を、スタンプ・ゴム印の置き場とする請求項１に記載のスタンプ台。
【請求項３】
手前開きであること及び、蓋（３）の内側をスタンプ・ゴム印の置き場とすることを説明書を添付することにより使用方向及び、使用方法を明確にした請求項１又は、請求項２に記載のスタンプ台。
【考案の詳細な説明】
【技術分野】
【０００１】  本考案は、蓋を手前開きとし、蓋の内側をスタンプ・ゴム印の置き場とすることを明確にしたスタンプ台に関するものである。
【背景技術】
【０００２】  従来、スタンプ台の蓋は、蓋表面の印字から判断すると向こう側に開くものとして作られおり、手前に開くものとしての製品はなかった。
従来のスタンプ台を１８０度回転させて使用すれば、機能的には同じ事ではあるが、社名・製品名が反対向きになってしまい違和感があった。
【考案の概要】
【考案が解決しようとする課題】
【０００３】  それは次のような問題点があった。
（イ）従来品は使用時、手前にインク浸透面・奥に蓋となり、奥に蓋のスペースをとっ        た分インク浸透面が手前に近づき、書類や袖口を汚す危険性があった。
蓋を、ゴム印置き場に利用しようとすると、さらにその危険性が増すこととなっ        ていた。蓋を開閉する際にも袖口を汚す危険性があった。
（ロ）従来品を１８０度回転させて使用すれば（イ）の危険性は少なくなりはするが、        蓋に印字された社名・製品名が反対向きとなってしまい違和感があった。
（ハ）従来品の蓋の表記の為に、便利な使い勝手に気づかない人が大勢いた。
本考案は、以上の問題点を解決するために考案されたものである。
【課題を解決するための手段】
【０００４】  インク浸透布部材（１）の手前に、蝶番（回転可能部材）（２）を取り付け、前記蝶番（２）により開閉可能となるよう蓋（３）を設け、かつ、前記蓋（３）の表面又は裏面にメーカー名・製造会社名・製品名・商標名・シンボルマーク・広告会社名・絵・写真・文字等を印字又は表記することにより使用方向を明確に示した、手前開きを特徴とし、前記蓋（３）を開いた状態の内側を、スタンプ・ゴム印の置き場とするスタンプ台である。
手前開きであること及び、前記蓋（３）の内側をスタンプ・ゴム印の置き場とすることを説明書を添付することにより使用方向及び、使用方法を明確にしたスタンプ台である。
【考案の効果】
【０００５】  スタンプ台の蓋が手前に開くことにより、その蓋の内側を、スタンプ・ゴム印の置き場として安全に利用でき、効率よく仕事ができると共に、机の上の限られたスペースを有効利用でき、インク浸透面を遠ざけることにより、蓋の開閉時に袖口を汚したり、大切な書類を守るうえでも一役かって、失敗を減少させることができ、なにより、多くの人に便利な使用法を伝えることができる。
【図面の簡単な説明】
【０００６】
【図１】本考案の斜視図
【図２】本考案の使用時の斜視図
【図３】本考案の使用例の斜視図
【考案を実施するための形態】
【０００７】  以下、本考案の実施の形態について説明する。
（イ）インク浸透布部材（１）の手前に、蝶番（回転可能部材）（２）を取り付け、前        記蝶番（２）により開閉可能となるよう蓋（３）を設ける。
（ロ）前記蓋（３）の表面や裏面に社名・製品名等を印字（４）・表記することにより        使用方向を明確に示す。
本考案は以上のような構造でこれを使用するときは、前記蓋（３）の表面の表記より向きを判断し、前記蓋（３）を手前に開き、ゴム印をインク浸透布部（１）に押し当てて押印する。開いた前記蓋（３）の内側をゴム印休め（置き場）として使用することもできる。使用後は、前記蓋（３）を閉めて、インク浸透布部（１）を保護しておく。
【実施例１】
【０００８】  図１に示すように、蓋（３）の表面の印字（１）により使用方向が確認できる。
図２・３に示すように、蓋（３）を開いた時には、蓋（３）の内側がゴム印の置き場として使用することができる。
また、蓋（３）の印字（４）は、メーカー名・製造会社名・製品名・商標名・シンボルマーク・広告会社名等で、スタンプ台を使用する方向が解るように手前開きとなるように表記できれば、絵でも写真でもよいし、手前開きであることの説明書を添付すれば、印字又は表記もなくてもよい。
【符号の説明】
【０００９】１  インク浸透布部材
２  蝶番（回転可能部材）
３  蓋
４  印字（文字・マーク・絵・写真で方向性が判断できるもの）
【図１】
0003202680.tif 000003
【図２】
0003202680.tif 000004
【図３】
0003202680.tif 000005
(57)【要約】      （修正有）【課題】現商品を傷つけずに、そのイメージ・雰囲気および手にした時の感動や使用した思い出などを引き継ぎ、小さなスペースに展示できる展示品及びミニチュア装飾品を提供する。【解決手段】現商品の外形・色彩・プリントなどをそのまま縮小再現し、主要な構造や操作を簡易的に再現可能として指先の操作感覚から、あるいはＡＲマーカーやＱＲコード、バーコードなどのインターネット誘導マーカー１０を添付しスマートフォンに読み込ませ、インターネット経由で現商品に関連する音楽・音声・音響および画像・動画を再生して心理的記憶をも呼び起こす展示品である。【選択図】図１
0003202671.tif 000002
【実用新案登録請求の範囲】
【請求項１】
有名アーティスト・デザイナーなどが作成したＬＰジャケット・美術品・ポスター・書籍・雑誌など絵柄・形状が価値があり、根強いファンを獲得している原商品をベースに、コレクションをしやすい大きさに縮小し、要な構造や操作を簡易的に再現可能として、指先の操作感覚から心理的記憶をも呼び起こす展示品。
【請求項２】
有名アーティスト・デザイナーなどが作成したＬＰジャケット・美術品・ポスター・書籍・雑誌など絵柄・形状が価値があり、根強いファンを獲得している原商品をベースに、コレクションをしやすい大きさに縮小し、ＡＲマーカーやＱＲコード、バーコードなどのインターネット誘導マーカーを添付し、スマートフォンで読み込ませることで現商品に関連した音楽や音声・音響および画像・動画をインターネット経由でスマートフォン上で再現し心理的記憶を再現させたミニチュア装飾品。
【考案の詳細な説明】
【技術分野】
【０００１】  本考案は、ＬＰレコードや書籍、または美術品などのミニチュアレプリカ装飾品に関する。
【背景技術】
【０００２】  ＬＰレコードや書籍、または美術品などにまつわる思い出や憧れを語るきっかけを自宅に展示する場合、現商品を展示すると嵩張り、多数展示できない。【０００３】  この欠点を克服するため、現商品を写真などにとって展示してもリアル感に乏しく、初めて手にした時の思いや感動を再現するには難がありました。【０００４】  現商品の一部を切り取って展示するという方法もありましたが、現商品そのものをいためてしまうという欠点がありました。【０００５】  現商品の一部を素材として、ミニチュア版を新たに制作するというミニチュア・ランドセルなどの方法もありますが、現商品は破壊されてしまい、現商品を大切に保存した上で、思い出などを確認あるいは会話の手がかりにするということはできません。【０００６】  根本的な改善案として、もう一度、現商品をミニチュアサイズで製造するという方法も考えられなくはありますが、ＬＰレコードなどの大量生産品をサイズ変更で少数再生産ということはビジネスとして成り立ちません。
【先行技術文献】
【特許文献】
【０００７】
【特許文献１】特開２０１３−１０７３７８号公報  「装飾品」
【考案の概要】
【考案が解決しようとする課題】
【０００８】  解決しようとする問題点は、現商品を傷つけずに、そのイメージ・雰囲気および手にした時の感動や使用した思い出などを引き継ぎ、小さなスペースに展示できるミニチュアレプリカである。
【課題を解決するための手段】
【０００９】  本考案は、現商品の外形・色彩・プリントなどを３Ｄプリンタなどでそのまま縮小再現し、主要な構造や操作を簡易的に再現可能として、指先の操作感覚から、あるいはＡＲマーカーやＱＲコード、バーコードなどのインターネット誘導マーカーをスマートフォンに読み込ませ、インターネット経由で現商品に関連する音楽・音声・音響および画像・動画を再生して心理的記憶をも呼び起こす展示品である。
【考案の効果】
【００１０】  本考案のミニチュア装飾品は、外見を現商品そっくりにし、操作や構造をおままごとのように再現して、現品を最初に手にした時のような感動や所有・使用した時間の思い出や手触り・動作の拠り所にすることで、展示だけでは無く、指先の操作感覚や、現商品に関係する音楽・音声・音響および画像・動画により現商品を使っていた時の風景や会話および心の動きを呼び起こす、心理的効果がある
【図面の簡単な説明】
【００１１】
【図１】図１は有名なアーティストのＬＰレコードのミニチュア・レプリカであり、イーゼル状の台にセットし、展示を容易にした例である。（実施例１）
【図２】図２は有名な恐竜図鑑のミニチュア・レプリカであり、イーゼル状の台にセットし、展示を容易にした例である。（実施例２）
【図３】図３は有名書籍の初版本のミニチュア・レプリカで、平置本棚を模した台にセットし、展示した例である。（実施例３）
【考案を実施するための形態】
【００１２】  現品の外見の縮小だけではなく、構造や操作も簡易的に再現できる形にして実現し、必要によりＡＲマーカーやＱＲコード、バーコードなどのインターネット誘導マーカーを添付した。
【実施例１】
【００１３】  図１は、本考案装置の実施例１の斜視図であって、１はミニチュアのＬＰジャケットであり、２はジャケットの精密なプリント、３はミニチュアのＬＰレコード、４はＬＰレコードのジャケットへの挿入方向、５は展示用のミニイーゼル、１０はインターネット誘導マーカーである。
【実施例２】
【００１４】  図２は、本考案装置の実施例２の斜視図であって、６はミニチュアの図鑑ジャケットであり、７は図鑑ジャケットの精密なプリント、８はミニチュアの恐竜図鑑、４は図鑑のジャケットへの挿入方向、５は展示用のミニイーゼル、９は図鑑のページ内容、１０はインターネット誘導マーカー、１１は図鑑のページの印刷である。
【実施例３】
【００１５】  図３は、本考案装置の実施例２の斜視図であって、１２はミニチュアの書籍であり、１３はその書籍の中の有名な一節、１４は書籍の背表紙・表紙、１５は展示用のミニ平置本棚、１０はインターネット誘導マーカーである。
【符号の説明】
【００１６】１  ＬＰジャケット（ミニチュア）          ９  図鑑のページ内容
２  ＬＰジャケットのプリント            １０  インターネット誘導マーカー
３  ＬＰレコード                        １１  印刷
４  挿入方向                            １２  書籍（ミニチュア）
５  展示用ミニイーゼル                  １３  有名な一節
６  図鑑ジャケット                      １４  背表紙・表紙
７  図鑑ジャケットのプリント            １５  展示用ミニ平置本棚
８  図鑑（ミニチュア）
【図１】
0003202671.tif 000003
【図２】
0003202671.tif 000004
【図３】
0003202671.tif 000005
(57)【要約】      （修正有）【課題】従来のロッカー型自動販売機にはない、冷蔵機能を実装し、複数金種の受入れおよび釣銭の払い出しを可能とし、幅広い商品を季節や環境に左右されず、年間を通じて販売可能とする多機能ロッカー型自動販売機を提供する。【解決手段】飲料用自動販売機のディスプレイ部および販売コラムの一部または全部にロッカーを内蔵することにより、冷蔵機能を備え、また複数金種の受入れおよび釣銭の払い出しを可能としたロッカー型自動販売機とした。これにより、冷蔵商品の販売や、硬貨のみでは販売が困難な高額商品の販売、そして缶・瓶・ペットボトル（主として内容量５００ｍｌ以下）等以外の形状の商品も販売可能とした。【選択図】図１
0003202653.tif 000002
【実用新案登録請求の範囲】
【請求項１】
飲料用自動販売機のディスプレイ部および販売コラムの一部または全部にロッカーを内蔵し、従来のロッカー型自動販売機にはない冷蔵機能を備え、また複数金種の受入れおよび釣銭の払い出しを可能とした、多機能ロッカー型自動販売機。
【考案の詳細な説明】
【技術分野】
【０００１】
自動販売機
【背景技術】
【０００２】
現在、野菜・果物・たまご等を販売するための自動販売機としてロッカー型のものが存在するが、このような機種には冷蔵機能がないため、夏場等、庫内の温度が上昇してしまう状況では、自動販売機の使用を休止したり、エアコン等から冷気を流すといった対応が必要となる。また、多くのロッカー型自動販売機は、使用可能硬貨が100円玉のみで、釣銭機構も実装されていない。逆に、1000円札および複数種の硬貨が使用できるものや、釣銭機構の備わった機種は、本体価格が120万円以上と非常に高いのが現状である。
【考案の概要】
【考案が解決しようとする課題】
【０００３】
本考案は、既存の飲料用自動販売機を活用することにより、ロッカー型自動販売機でありながら、冷蔵機能を備え、複数金種使用可能で且つ釣銭も出せるものとした。
【０００４】
本考案は、既存の飲料用自動販売機を活用することから、制作コストを抑えることができ、従来の高額な自動販売機よりも本体価格を安くすることが可能となる。
【課題を解決するための手段】
【０００５】
本考案は上記の課題を解決するために、既存の飲料用自動販売機のディスプレイ部および販売コラムの一部または全部にロッカーを内蔵することにより、冷蔵機能を備え、また複数金種の受入れおよび釣銭の払い出しを可能としたロッカー型自動販売機とした。これにより、冷蔵商品の販売や、硬貨のみでは販売が困難な高額商品の販売、そして缶・瓶・ペットボトル（主として内容量500ml以下）等以外の形状の商品も販売可能とした。
【考案の効果】
【０００６】
多機能ロッカー型自動販売機により、季節や環境に左右されず年間を通じて自動販売機の運営が可能となり、また幅広い商品が1台の機械で販売できるようになる。さらに、従来の高額自動販売機と比して導入コストを抑えることもでき、自動販売機オーナーの収益向上に寄与すると考えられる。
【図面の簡単な説明】
【０００７】
【図１】ロッカー内蔵型自動販売機（一部）
【図２】ロッカー内蔵型自動販売機（全部）
【図３】ロッカー内蔵型自動販売機（一部）拡大図
【図４】自動販売機内部構造フローチャート
【考案を実施するための形態】
【０００８】
以下本考案の形態を示す図面に基づき説明する。
【０００９】
図１に示す如く、飲料用自動販売機の正面ディスプレイの一部にロッカーをはめ込み、ロッカー部分での商品の売買を可能とする。
【００１０】
図２に示す如く、ニーズに応じて飲料用自動販売機の正面ディスプレイの全部にロッカーをはめ込み、ロッカーでの商品の売買のみを可能とする。
【００１１】
図３に示す如く、飲料の販売に関しては、金銭投入後、飲料販売部の商品選択ボタン３を押すことで、商品が取出口に搬出される。ロッカーに収容した商品の売買に関しては、金銭投入後、ロッカー販売部の商品選択ボタン４を押すことで、当該ロッカーの扉が開き、商品の受け渡しを可能とする。
【００１２】
図４に示す如く、ロッカー販売部の構造については、選択ボタンを押すことにより、指示機構から販売機構へ送られる信号を、選択したロッカーの扉が開くものに変換する。
【符号の説明】
【００１３】
１：飲料販売部
２：ロッカー販売部
３：飲料販売部商品選択ボタン
４：ロッカー販売部商品選択ボタン
５：商品ポケット
【図１】
0003202653.tif 000003
【図２】
0003202653.tif 000004
【図３】
0003202653.tif 000005
【図４】
0003202653.tif 000006
【手続補正書】
【提出日】平成27年12月10日(2015.12.10)
【手続補正１】
【補正対象書類名】実用新案登録請求の範囲
【補正対象項目名】請求項１
【補正方法】変更
【補正の内容】
【請求項１】
飲料用自動販売機のディスプレイ部および販売コラムの一部または全部にロッカーを内蔵することで、冷蔵装置を備え、複数金種の受入れおよび釣銭の払い出しをも
可能とした、多機能ロッカー型自動販売機。
(57)【要約】      （修正有）【課題】潮流の方向に関係なく一方向に連続回転運動に変換し、構造が簡単で小型化でき、効率よく潮流を捉え回転力を高める装置を提供する。【解決手段】可動羽根水車潮流発電装置であって、本装置の主要部は、円形の水平羽根１２、複数からなり、最下段の水平羽根を除く、該水平羽根１２の下側に可動羽根１４を設け、水平羽根１２の間隔は、可動羽根１４が水平羽根１２に対し直角になるだけの幅とし、可動羽根１４の数は水平羽根１２の大きさに応じて、増減し、可動羽根水車の回転軸１５は、筏の下側に海底に垂直になるように装着し、潮流の方向に関係なく一方向へ連続回転し、前記筏の上部に設えた発電機を稼働させる。【選択図】図２
0003202648.tif 000002
【実用新案登録請求の範囲】
【請求項１】
可動羽根水車潮流発電装置であって、本装置の主要部は、円形の水平羽根、複数からなり、最下段の水平羽根を除く、該水平羽根の下側に可動羽根を設け、前記水平羽根の間隔は、可動羽根が水平羽根に対し直角になるだけの幅とし、可動羽根の数は水平羽根の大きさに応じて、増減し、可動羽根水車の回転軸は、筏の下側に海底に垂直になるように装着し、潮流の方向に関係なく一方向へ連続回転し、前記筏の上部に設えた発電機を稼働させることを特徴とする装置。
【請求項２】
上記、可動羽根が、該可動羽根の自重、又は潮流によって開き、潮流に対し直角の角度で潮流を受け、前記可動羽根の上下の水平羽根、回転軸側の羽根支持板により潮流の逃げ場の３方が封じられて、その分回転力に繋がり、一方潮流に逆らう側の可動羽根は潮流の力で閉じ抵抗面が最小となり効率よく連続回転運動に変換する装置。
【考案の詳細な説明】
【技術分野】
【０００１】  本考案は、可動羽根水車潮流発電装置に関する。【０００２】  従来、この種の潮流発電装置は海中に設置されていた。
【先行技術文献】
【特許文献】
【０００３】
【特許文献１】特開平２０１５−４８８４３号公開公報
【０００４】
【考案が解決しようとする課題】
【０００５】  従来の潮流発電はプロペラ形のものが多く潮流の方向に対応する装置が必要で、又発電機も海中に設置されていたため防水、塩害、保守管理の対策が容易でなかった。
【問題を解決しようとする手段】
【０００６】  上記の問題を解決する為に発電機を海上の筏の上部へ設え可動羽根水車を筏の下側に、可動羽根水車の回転軸を海底に垂直になるように装着し、潮流の方向に関係なく一方向へ連続回転する可動羽根水車を考案したことで、構造も極めて簡単で保守管理も容易になった。
【考案の効果】
【０００７】  本考案に係る潮流を方向に関係なく一方向へ連続回転運動に変換する装置は、構造が簡単で小型化でき、可動羽根水車にすることでプロペラ形と比べ効率よく潮流を捉え回転力を高めることが出来た。管理面は容易になり建設費も軽減出来る
【図面の簡単な説明】
【０００８】
【図１】  本装置の全体を示す図で、海底の２か所の基部からワイヤで筏の下側のフレームに取り付けた滑車を介して錘を吊り、筏を安定した位置を保つ状態を示す図である。
【図２】  可動羽根水車の見取図である。
【図３】  上の図は、可動羽根が水平羽根に直角の角度に潮流を受け開いている様子で、下の図は、潮流の力で可動羽根が押し上げられている状態を表している。
【考案を実施するための形態】
【０００９】以下、本考案に係る実施の形態を図面に基づき説明する。
【００１０】  図１は、海底に水深に応じて、潮流に平行になるように基部１基部２を固定し、基部１にワイヤ５を接続し海上の筏１０の下部のフレーム８に取り付けた滑車３を介して錘７を吊り、基部２に接続したワイヤ６をフレーム８に取り付けた滑車４を介して吊り、筏１０全体を安定した位置を保つ装置とし筏の下側に可動羽根水車９の回転軸１５が海底に垂直になるように装着し、潮流の方向が変化しても１方向へ連続回転する構造で、潮流が起きれば効率よく潮流を捉え連続回転し発電機を稼働させる。
図２は、可動羽根水車９の手前から前方へ潮流が流れている場合の可動羽根１４の開閉の状態を示し、可動羽根１４が全開時は水平羽根１２に直角の角度になり、潮流は上下の水平羽根１２と回転軸１５側の羽根支持板１３に逃げ場を封じ回転力を高め、又、潮流に逆らう側の可動羽根は潮流の力で閉じ抵抗面が最小となり極力マイナス面を抑え効率よく回転するようにした。
図３は潮流によって可動羽根１４が水平羽根１２に直角になっている状態を、下の図は、潮流によって可動羽根１４が閉じかけている様子を表している。
【産業上の利用可能性】
【００１１】  本考案は、潮流のみならず、河川にも利用可能で、可動羽根は風車としても活用でき、風向に関係なく一方向へ連続回転する構造である。
【符号の説明】
【００１２】１      基部                      １１    発電機
２      基部                      １２    水平羽根
３      滑車                      １３    羽根支持板
４      滑車                      １４    可動羽根
５      ワイヤ                    １５    回転軸
６      ワイヤ
７      錘
８      フレーム
９      可動羽根水車
１０    筏
【図１】
0003202648.tif 000003
【図２】
0003202648.tif 000004
【図３】
0003202648.tif 000005
【手続補正書】
【提出日】平成27年11月9日(2015.11.9)
【手続補正１】
【補正対象書類名】実用新案登録請求の範囲
【補正対象項目名】請求項２
【補正方法】変更
【補正の内容】
【請求項２】
本装置の、水平羽根は円形で該水平羽根は複数で、上段から下段までの水平羽根のそれぞれの間に、多角形で筒状の支持板を接続し支持板の数のそれぞれの支持板の左側の位置に可動羽根を水平羽根の下側に接続し、可動羽根が水平羽根に垂直にした位置の左側にストッパーを取り付け、回転軸に向かって右から左へ潮が流れると可動羽根が上から見て時計回になり、稼動している可動羽根の対称の位置ある可動羽根は潮の力で閉じ抵抗面が最小となり効率よく回転でき、又可動羽根が潮を受け稼動する際上下の水平羽根と水平羽根支持板の３方向が潮の逃げ場を封じ効率よく潮流を捉え回転運動する装置。
【手続補正書】
【提出日】平成27年11月20日(2015.11.20)
【手続補正１】
【補正対象書類名】実用新案登録請求の範囲
【補正対象項目名】請求項２
【補正方法】変更
【補正の内容】
【請求項２】
請求項１に記載された装置において、上記可動羽根が、該可動羽根の自重、又は潮流によって開き、潮流に対し直角の角度で潮流を受け、前記可動羽根の上下の水平羽根、回転軸側の羽根支持板により潮流の逃げ場の３方が封じられて、その分回転力に繋がり、一方潮流に逆らう側の可動羽根は潮流の力で閉じ抵抗面が最小となり効率よく連続回転運動に変換する装置。
(57)【要約】      （修正有）【課題】低コストで容易に投光器の出力を変え、かつ効率の良い放熱を行うことができるＬＥＤ投光器を提供する。【解決手段】ＬＥＤ投光器は、ＬＥＤ光源と光学レンズを配置した光源基板と、前記光源基板を内包するＬＥＤ光源ユニットハウジングと、前記ＬＥＤ光源ユニットハウジングに付属する放熱フィンと、前記放熱フィンによって構成される放熱フィン前後貫通部と、前記ＬＥＤ光源ユニットハウジングと前記放熱フィンからなるＬＥＤ光源ユニット１１と、アームと、電源ユニットと、前記アームを接続した前記電源ユニットを収納した電源ボックス１２からなる。【選択図】図１
0003202641.tif 000002
【実用新案登録請求の範囲】
【請求項１】
ＬＥＤ光源と光学レンズを配置した光源基板と、前記光源基板を内包するＬＥＤ光源ユニットハウジングと、前記ＬＥＤ光源ユニットハウジングに付属する放熱フィンと、前記放熱フィンによって構成される放熱フィン前後貫通部と、前記ＬＥＤ光源ユニットハウジングと前記放熱フィンからなるＬＥＤ光源ユニットと、アームと、電源ユニットと、前記アームを接続し前記電源ユニットを収納した電源ボックスからなるＬＥＤ投光器。
【考案の詳細な説明】
【技術分野】
【０００１】
本実用新案はＬＥＤを光源とした投光器に関する。
【背景技術】
【０００２】
照明用ＬＥＤを使用した投光器・サーチライト・スポットライトなどを用いて、商業空間をライトアップするものが知られている。
【０００３】
既存技術のダイキャスト投光器は電源と光源が一体化しており、光源の出力を変えることが難しいため、複数の投光器を並べることで出力を増大させる。
【考案の概要】
【考案が解決しようとする課題】
【０００４】
既存技術のダイキャスト製の投光器は、単一のハウジングであり、電源も内部にあるため、ライトの出力を変更することが難しい。
【０００５】
照明の明るさを増大させたい場合には、簡単な方法として、ＬＥＤ投光器を複数並べることになるが、照明器具の体積が増大し、かつ、複数の電源装置を搭載するため出力効率が悪くなる。
【０００６】
出力を増加させると、効率のよい放熱が難しくなる。
【０００７】
照明が故障した場合、照明全体を取り外して修理し、あらためて設置することになるため、メンテナンス性が悪く修理コストも高くなる。
【０００８】
本実用新案は、このような問題を解決するもので、低コストで容易に投光器の出力を変え、かつ効率の良い放熱を行うことを目的とするものである。
【課題を解決するための手段】
【０００９】
本実用新案は、ＬＥＤ光源と光学レンズを配置した光源基板と、前記光源基板を内包するＬＥＤ光源ユニットハウジングと、前記ＬＥＤ光源ユニットハウジングに付属する放熱フィンと、前記放熱フィンによって構成される放熱フィン前後貫通部と、前記ＬＥＤ光源ユニットハウジングと前記放熱フィンからなるＬＥＤ光源ユニットと、アームと、電源ユニットと、前記アームを接続し前記電源ユニットを収納した電源ボックスからなるＬＥＤ投光器である。
【考案の効果】
【００１０】
電源ボックスに接続するＬＥＤ光源ユニットを増やすだけで、出力を増加させることができるため、必要となる金型は最小のＬＥＤ光源ユニットだけになり、金型のコストを抑えることができる。
【００１１】
電源ボックスは押出成型品が利用できるので、長さを変えてチューブを切断するだけでＬＥＤ光源ユニットの数を増減できるため、ＬＥＤ光源ユニットの数にかかわらず金型は一つで済み、コストを抑えることができる。
【００１２】
ＬＥＤ光源ユニットは放熱フィンの形状を工夫し、ＬＥＤ光源ユニットの前後に貫通部を設けることにより、効率的な放熱を行う。
【００１３】
電源ボックスとＬＥＤ光源ユニットが独立していることにより、故障した部分だけの交換が可能で、ＬＥＤ光源ユニット単独で補修をすることができるため、メンテナンスの時間・コストを抑えることができる。
【００１４】
光源ユニットを増やしても電源装置を増設する必要が無く、電源を新たに確保し設置するための工事は不要となり、工事コストも低減できる。
【図面の簡単な説明】
【００１５】
【図１】本実用新案にかかる、３灯投光器を例とした、発光面側から見た平面図である。
【図２】本実用新案にかかる、３灯投光器を例とした、各部品の分解図である。
【考案を実施するための形態】
【００１６】
図１に示すように、３灯投光器１の例では３つのＬＥＤ光源ユニット１１と電源ボックス１２を組み合わせる。
【００１７】
前記ＬＥＤ光源ユニット１１では、ＬＥＤ光源ユニットハウジング１１１に、ＬＥＤ光源１１２と光学レンズ１１３を配置した光源基板１１５を、ガラスカバー１１４で封入する。
【００１８】
放熱フィン１１７が前記ＬＥＤ光源ユニットハウジング１１１の底面から前後に広がり、放熱フィン前後貫通部１１６を構成することで、前記ＬＥＤ光源ユニット１１の前後に空気の対流が発生し、効率の良い放熱効果を持つ。
【００１９】
電源固定金具１２２によって電源ユニット１２０を固定し、前記電源ボックス１２の内部の電源収納部１２５に設置する。
【００２０】
電源ボックス側面蓋１２４１、アーム固定化粧キャップ１２４の中心のアーム固定化粧キャップ穴１２７、アーム左側１２３１とアーム右側１２３２のアーム固定ねじ穴１２６にアーム固定ねじ１２８を通し、アーム１２３、アーム底面１２３３を前記電源ボックス１２に固定する。
【００２１】
前記電源ボックス側面蓋１２４１は、電源ボックス防水パッキン１２９を挟んで固定するため、前記電源ボックス１２は優れた防水性能を持つ。
【００２２】
電源固定金具挿入ガイド１３３に前記電源固定金具１２２を挿入することで、前記電源ボックス１２に前記電源ユニット１２０が緩みなく固定される。
【００２３】
前記ＬＥＤ光源ユニット１１と前記電源ボックス１２は、防水構造を持つ接続部を介して電源出力ケーブル１３１とＬＥＤ光源基板入力ケーブル１３２により接続する。
【００２４】
以上により、低コスト、高メンテナンス性、高い放熱効果を持つ、ＬＥＤを光源としたＬＥＤ投光器ユニットを構成することができる。
【産業上の利用可能性】
【００２５】
本実用新案は、看板照明や建物のライトアップ用の投光器に利用可能である。
【符号の説明】
【００２６】
１・・・ＬＥＤ投光器全体
1１・・・ＬＥＤ光源ユニット
１２・・・電源ボックス
１１１・・・ＬＥＤ光源ユニットハウジング
１１２・・・ＬＥＤ光源
１１３・・・光学レンズ
１１４・・・ガラスカバー
１１５・・・光源基板
１１６・・・放熱フィン前後貫通部
１１７・・・放熱フィン
１２０・・・電源ユニット
１２２・・・電源固定金具
１２３・・・アーム
１２３１・・・アーム左側
１２３２・・・アーム右側
１２３３・・・アーム底面
１２４・・・アーム固定化粧キャップ
１２４１・・・電源ボックス側面蓋
１２５・・・電源収納部
１２６・・・アーム固定ねじ穴
１２７・・・アーム固定化粧キャップ穴
１２８・・・アーム固定ねじ
１２９・・・電源ボックス防水パッキン
１３１・・・電源出力ケーブル
１３２・・・ＬＥＤ光源基板入力ケーブル
１３３・・・電源固定金具挿入ガイド
【図１】
0003202641.tif 000003
【図２】
0003202641.tif 000004
(57)【要約】      （修正有）【課題】防波堤の最も多い形式であるケーソン式混成堤において、ケーソンの背後の基礎捨石は根固めブロック及び被覆石によって被覆されているが、津波等の多量の越波によって根固めブロック、被覆石及び基礎捨石が洗掘され、ケーソンの滑動、転倒によって防波堤が破壊しないように、越波による洗掘を防止することができる越波洗掘防止ブロックを提供する。【解決手段】ケーソン７を据え付けた後、この背後に越波洗掘防止ブロック１〜４を根固めブロック８及び被覆石上に層積みし、越波による背後の根固めブロック８、被覆石及び基礎捨石の洗掘を防止する。なを、洗掘に対する安定を図るため越波洗掘防止ブロック１〜４の大きさを変えることができ、衝撃を緩和するため、ケーソン７接触面、底面にゴム版を貼付している。【選択図】図１８
0003202650.tif 000002
【実用新案登録請求の範囲】
【請求項１】
防波堤の最も多い形式であるケーソン式混成堤において、ケーソンの背後の根固めブロック及び被覆石の上に層状に積上げ、津波等の多量の越波による背後の基礎捨石、根固めブロック及び被覆石の洗掘を防止する越波洗掘防止ブロック。
【考案の詳細な説明】
【技術分野】
【０００１】  本考案は、港湾及び漁港で最も多い防波堤形式であるケーソン式混成堤において、津波等の大量の越波によるケーソン背後の根固めブロック、被覆石及び基礎捨石の洗掘を防止しする越波洗掘防止ブロックに関するものである。
【背景技術】
【０００２】  ケーソン式混成堤の港内側の基礎捨石は表面を根固めブロック及び被覆石で被覆されている。
【考案が解決しようとする課題】
【０００３】  津波等によりケーソンの上部から大量の越波が発生し、これが落下水となり、ケーソン背後の根固めブロック、被覆石及び基礎捨石を洗掘し、防波堤が破壊することがあり、越波による洗掘を防止する必要がある。
【課題を解決するための手段】
【０００４】  ケーソンを据え付けた後、背後の根固めブロック、被覆石の肩幅を本考案の越波洗掘防止ブロック３個の並び幅より広くし、その上に１層目のブロックを３個並べる。２層目、３層目には２個並べる。２層目のケーソン側には半分割されたブロックを挿入する。
【考案を実施するための形態】
【０００５】  形状は台形で天端幅が考案ブロックの２個分で、前面はケーソンに沿って垂直で、背後の法勾配は１：１程度となっている。水中に設置されるので外観は変わらない
【実施例１】
【０００６】  ケーソン背後の基礎捨石の流出を防止するため、根固めブロックや被覆石によって表面を被覆している。
【考案の効果】
【０００７】  ケーソン式混成堤において、津波等の大量の越波によって、背後の根固めブロック、被覆石や基礎捨石が洗掘されて、ケーソンが滑動や転倒によって破壊されることがある。本考案の越波洗掘防止ブロックを背後に台形に積上げることにより、洗掘を防止するものである。本考案の越波洗掘防止ブロックの安定を図るため大きさを変えることができ、衝撃を緩和するため、ケーソン接触面、底面にゴム版を貼付している。
【図面の簡単な説明】
【図１】  本考案の越波洗掘防止ブロック１の斜視図（底面にゴム版を貼付する前）
【図２】  本考案の越波洗掘防止ブロック１の上側平面図
【図３】  本考案の越波洗掘防止ブロック１の下側平面図
【図４】  本考案の越波洗掘防止ブロック１の側面図
【図５】  本考案の越波洗掘防止ブロック２の上側平面図
【図６】  本考案の越波洗掘防止ブロック２のケーソン側側面図
【図７】  本考案の越波洗掘防止ブロック３の上側平面図
【図８】  本考案の越波洗掘防止ブロック３のケーソン側側面図
【図９】  本考案の越波洗掘防止ブロック４の下側平面図
【図１０】  本考案の越波洗掘防止ブロック４の正面図
【図１１】  本考案の越波洗掘防止ブロック４の側面図
【図１２】  貼付するゴム版１の平面図
【図１３】  貼付するゴム版１の側面図
【図１４】  貼付するゴム版２の平面図
【図１５】  貼付するゴム版２の正面図
【図１６】  貼付するゴム版２の側面図
【図１７】  本考案の越波洗掘防止ブロック１，２，３，４の配置図
【図１８】  本考案の越波洗掘防止ブロック１，２，３，４の詳細配置図
【符号の説明】１は越波洗掘防止ブロック１
２は越波洗掘防止ブロック２
３は越波洗掘防止ブロック３
４は越波洗掘防止ブロック４
５はゴム版１
６はゴム版２
７はケーソン
８は根固めブロック
９は被覆石
１０は基礎捨石
【図１】
0003202650.tif 000003
【図２】
0003202650.tif 000004
【図３】
0003202650.tif 000005
【図４】
0003202650.tif 000006
【図５】
0003202650.tif 000007
【図６】
0003202650.tif 000008
【図７】
0003202650.tif 000009
【図８】
0003202650.tif 000010
【図９】
0003202650.tif 000011
【図１０】
0003202650.tif 000012
【図１１】
0003202650.tif 000013
【図１２】
0003202650.tif 000014
【図１３】
0003202650.tif 000015
【図１４】
0003202650.tif 000016
【図１５】
0003202650.tif 000017
【図１６】
0003202650.tif 000018
【図１７】
0003202650.tif 000019
【図１８】
0003202650.tif 000020
(57)【要約】      （修正有）【課題】ジャバラ伸縮時に鎧同士が接触摩擦稼動する事により鎧表面の美観を損ね摩耗粉が発生する事や鎧同士が接触摩擦稼動を繰り返す過程に発生する金属的な騒音を防止する機能を備えた樹脂板挿入鎧付布製折り畳み式ジャバラを提供する。【解決手段】織り布に熱可塑性樹脂をコートした布製カバー布１に熱を加え所定の折幅に交互に折り畳み折り目を付けて山谷を形成し、所定寸法に裁断した熱可塑性樹脂より成る樹脂板２を布製カバー布の折り目に沿って挿入し、過熱プレス板にて溶着加工にて形状を成した樹脂板溶着式布製ジャバラの背面部又は側面部或いは両方の山頂部に近接して、金属薄板材より成る複数の短冊状体(鎧)３を固定又は揺動可能な状態に係止した鎧付布製折り畳み式ジャバラに於いて、短冊状体(鎧)３と短冊状体(鎧)３の間に異なる材質(樹脂製薄板４)を挿入係止させ短冊状体(鎧)３同士の直接接触を間接接触にしている。【選択図】図４
0003202647.tif 000002
【実用新案登録請求の範囲】
【請求項１】
織り布に熱可塑性樹脂をコートした布製カバー布に熱を加え所定の折幅に交互に折り畳み折り目を付けて山谷を形成し、所定寸法に成る様に裁断した熱可塑性樹脂より成る樹脂板を前記、布製カバー布の折り目に沿って挿入し、過熱プレス板にて溶着加工にて形状を成した樹脂板溶着式布製ジャバラ図１の背面部又は側面部或いは両方の山頂部に近接して、金属薄板材より成る複数の短冊状体(鎧)を固定又は揺動可能な状態に係止した鎧付布製折り畳み式ジャバラ図２に於いて、ジャバラ伸縮時に鎧同士が接触摩擦稼動する事により鎧表面の美観を損ね摩耗粉が発生する事を防止すると共に鎧同士が接触摩擦稼動を繰り返す過程に発生する金属的な騒音を防止する目的で、鎧同士の間に樹脂製薄板を挿入設置した事を特徴とする樹脂板挿入鎧付布製折り畳み式ジャバラ図３。
【考案の詳細な説明】
【技術分野】
【０００１】
本考案は、主として工作機械の保護カバー、その他一般産業機械の保護カバーとして活用するものに関する。
【背景技術】
【０００２】
工作機械などの直動する機械の動きに追従し、駆動用リニアガイド保護、ボールネジ保護或いは人体への危険回避、環境改善などを目的として用いられるジャバラに於いて、ジャバラの形状が型崩れを発生せず、しかも高剛性で軽量なジャバラとして樹脂板溶着式布製ジャバラ 実用新案番号３０４７２７４及び多量の切削液、高温の切粉という使用環境でも長寿命な鎧付き布製折り畳み式ジャバラ  登録実用新案第３０５６０１９号を本出願者は考案している。
しかし、近年の工作機械などに於いては、ジャバラ本来の駆動用リニアガイド保護、ボールネジ保護
或いは人体への危険回避、環境改善だけで無く、外観上の美観性や消音性を求められる様になり現状
品ではそれらを満足する事が出来ない問題があった。
【考案の開示】
【考案が解決しようとする課題】
【０００３】
これらの問題を解決する為、鎧付布製折り畳み式ジャバラに於いて、ジャバラ伸縮時に鎧同士が接触摩擦稼動する事により鎧表面の美観を損ね摩耗粉が発生する事や鎧同士が接触摩擦稼動を繰り返す過程に発生する金属的な騒音を防止する機能を備えたジャバラの開発が必要であった。
【課題を解決するための手段】
【０００４】
本考案はかかる問題を解決するため鋭意研究し得られたもので、樹脂板挿入鎧付布製折り畳み式ジャバラに関するものであり、其の内容について以下、図面に従って説明する。
本考案者が考案した鎧付き布製折り畳み式ジャバラは、布製カバー布１、樹脂板２、短冊状体(鎧)３から構成されており、ジャバラ伸縮時に於いて短冊状体(鎧)３同士が接触稼動を繰り返す結果、この短冊状体(鎧)３の表面が摩擦により研磨され初期の短冊状体(鎧)３の質感や美観が失われ次第に摩耗粉が発生し汚れが酷くなり、同時に摩耗粉による擦れ音を生じる問題があった。
そこで、短冊状体(鎧)３と短冊状体(鎧)３の間に異なる材質(実施例では樹脂製薄板４)を挿入係止させ短冊状体(鎧)３同士の直接接触を間接接触にする事で、この問題を解決している。
【考案の効果】
【０００５】
社内に於ける評価試験では、短冊状体(鎧)３同士の直接接触回避の為、短冊状体(鎧)３と短冊状体(鎧)３の間に異なる材質(実施例では樹脂製薄板４)を挿入係止し、伸縮稼動させた結果、挿入設置前の状態と比較して明らかな効果が確認された。短冊状体(鎧)３同士の直接接触が回避され、短冊状体(鎧)３の質感や美観が損なわれる事が無く、摩耗粉が発生する現象も防止する事が出来、摩耗粉が発生しない事から擦れ音が発生しない極めて静かな状態であり、本考案の効果を確認する事が出来た。
【図面の簡単な説明】
【０００６】
【図１】樹脂板溶着式布製ジャバラ
【図２】鎧付布製折り畳み式ジャバラ
【図３】鎧付布製折り畳み式ジャバラ断面図
【図４】樹脂板挿入鎧付布製折り畳み式ジャバラ断面図
【実施例】
【０００７】
請求項１に記載の樹脂板挿入鎧付布製折り畳み式ジャバラを図３に示す。また、樹脂板挿入鎧付布製折り畳み式ジャバラの原型となる鎧付布製折り畳み式ジャバラを図２、樹脂板溶着式布製ジャバラを図１にそれぞれ示す。
【０００８】
樹脂板挿入鎧付布製折り畳み式ジャバラ図３は、鎧付布製折り畳み式ジャバラ図２の短冊状体(鎧)３と
短冊状体(鎧)３の間に樹脂製薄板４を挿入係止する事で構成を成しており、樹脂製薄板４の形状は、短冊状体(鎧)３と同寸法もしくは短冊状体(鎧)３の外周より少し大きい寸法とし、直接短冊状体(鎧)３同士が接触しない寸法となっている。この樹脂製薄板４により短冊状体(鎧)３同士の直接接触が回避され、短冊状体(鎧)３の質感や美観が損なわれる事が無く、摩耗粉が発生する現象も防止する事が出来、摩耗粉が発生しない事から擦れ音が発生しない極めて静かな状態となった。
【符号の説明】
【０００９】
1  カバー布
2  樹脂板
3  短冊状体(鎧)
4  樹脂製薄板
【図１】
0003202647.tif 000003
【図２】
0003202647.tif 000004
【図３】
0003202647.tif 000005
【図４】
0003202647.tif 000006
【手続補正書】
【提出日】平成27年12月10日(2015.12.10)
【手続補正１】
【補正対象書類名】実用新案登録請求の範囲
【補正対象項目名】全文
【補正方法】変更
【補正の内容】
【実用新案登録請求の範囲】
【請求項１】
織り布に熱可塑性樹脂をコートした布製カバー布に熱を加え所定の折幅に交互に折り畳み折り目を付けて山谷を形成し、所定寸法に成る様に裁断した熱可塑性樹脂より成る樹脂板を前記、布製カバー布の折り目に沿って挿入し、過熱プレス板にて溶着加工にて形状を成した樹脂板溶着式布製ジャバラの背面部又は側面部或いは両方の山頂部に近接して、金属薄板材より成る複数の短冊状体である鎧を固定又は揺動可能な状態に係止した鎧付布製折り畳み式ジャバラに於いて、ジャバラ伸縮時に鎧同士が接触摩擦稼動する事により鎧表面の美観を損ね摩耗粉が発生する事を防止すると共に鎧同士が接触摩擦稼動を繰り返す過程に発生する金属的な騒音を防止する目的で、鎧同士の間に樹脂製薄板を挿入設置した事を特徴とする樹脂板挿入鎧付布製折り畳み式ジャバラ。
(57)【要約】      （修正有）【課題】トイレットペーパーの先端をすばやく掴むことが出きるペーパーホルダーの蓋のカバーを提供する。【解決手段】取っ手２を一体化した上部１となる先端をカーブさせ上部１の下に下部３を設け上部１と下部３との先端で一体化させ、一体化した対向部７と両サイドを開口させた。【選択図】図１
0003202645.tif 000002
【実用新案登録請求の範囲】
【請求項１】
【考案の詳細な説明】
【技術分野】
【０００１】  本考案は、取っ手の付いたカバーの中にペーパーホルダーの蓋を挿入して固定するカバーに関するものである。
【背景技術】
【０００２】  トイレットペーパー使用時において、ペーパーの先端がホルダーの蓋の先端と重なっている爲にホルダーの蓋の先端を掴み上げようとするが指が滑り掴みづらい。
【考案の概要】
【考案が解決しようとする課題】
【０００３】  ホルダーの蓋の先端を掴み上げ、トイレットペーパーの先端を掴むという事は両手の動作が必要となる爲、まずホルダーの蓋の先端をスムーズに掴める事が必要であるがホルダーの蓋の先端がトイレットペーパーにそってカーブしている爲掴みづらい問題があり従って、ホルダーの蓋の先端部分から取っ手付きカバーを挿入させ装着し固定させることにより、前途の欠点を解決しようとするものである。
【課題を解決するための手段】
【０００４】  本考案は、取っ手の付いたカバーをホルダーの蓋装着し固定させ、取っ手を掴んで持ち上げることでトイレットペーパーをすばやく掴むことができるカバーである爲問題点を解決している。
【考案の効果】
【０００５】  上述の様に、本考案のペーパーホルダーの蓋のカバーを装着することにより、取っ手部を掴んでペーパーホルダーの蓋が瞬時に持ち上げる事が出きることによりトイレットペーパーの先端をすばやく掴むことが出きる。
【図面の簡単な説明】
【０００６】
【図１】本考案のペーパーホルダーの蓋のカバーの斜面図である。
【考案を実施するための形態】
【０００７】  取っ手の付いたカバー上部の一方を開口し、もう一方はカーブを描き底部となる底部の先端とで一体化させ、又底部はホルダーの蓋を挿入させた後上部とで固定出来る様に上部面に向かって弓形を持ちその先端は上部とでの開口部となり、ホルダーの蓋の挿入口となる。上部と下部とを一体化しその両サイドを開口する。
【実施例】
【０００８】  以下、添付図面に従って一実施例を説明する。１は軟質性プラスチックにて形成された本体上部、２は本体１と一体化した取っ手部、３は本体と一体化した弓形の下部、４は１の本体上部の先端で、カーブさせた下部との接着部で、トイレットペーパーをカットする面、５、５ａはトイレットペーパーのホルダーの蓋の先端部分からの挿入口、６はホルダーの蓋の挿入口、７と７ａは開口部でホルダーの蓋の挿入口。
【符号の説明】
【０００９】１、本体上部
２、取っ手部
３、弓形下部
４、トイレットペーパーカット面
５、ホルダーの蓋の挿入口
６、ホルダーの蓋の挿入口
７、ホルダーの蓋の挿入口
【図１】
0003202645.tif 000003
【手続補正書】
【提出日】平成27年9月2日(2015.9.2)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーのホルダーの蓋の先端部であるペーパーカット部から装着させる、取っ手の付いたペーパーホルダーの蓋のカバー
【手続補正書】
【提出日】平成27年11月27日(2015.11.27)
【手続補正１】
【補正対象書類名】実用新案登録請求の範囲
【補正対象項目名】全文
【補正方法】変更
【補正の内容】
【実用新案登録請求の範囲】
【請求項１】
取っ手を一体化した上部となる先端をカーブさせ上部の下に下部を設け上部上部と下部との先端で一体化させ、一体化した対向部と両サイドを開口させたペーパーホルダーの蓋のカバー。
(57)【要約】      （修正有）【課題】本をブックスタンドに立てページをめくる時以外手を使わず読む、又片手で持って、ページをめくる時だけもう一方の片手を使う楽な姿勢で本を読む事が出来るブックスタンドを提供する。【解決手段】本の上端部及び下端部にそれぞれ当接する部分が湾曲状である上部基台２と下部基台１と本を立てかける為のフラット台４を備えたブックスタンドであり、上部基台２には溝状のガイド７が設けられ、下部基台１には複数の蝶ネジ６が設けられネジ穴８とガイド７を貫通し、上部基台２と下部基台１を蝶ネジ６により固定する。【選択図】図１
0003202611.tif 000002
【実用新案登録請求の範囲】
【請求項１】
本の上端部及び下端部にそれぞれ当接する部分が湾曲状である上部基台と下部基台と本を立てかける為のフラット台を備えたブックスタンドであり、上部基台には溝状のガイドが設けられ、下部基台には複数のネジが設けられネジ穴とガイドを貫通し、上部基台と下部基台を蝶ネジにより固定する事を特徴とするブックスタンド。
【考案の詳細な説明】
【技術分野】
【０００１】
本考案は、本をブックスタンドに立てページをめくる時以外手を使わず読む、又片手で持って、ページをめくる時だけもう一方の片手を使う楽な姿勢で本を読む事が出来るブックスタンドを提供する。
【背景技術】
【０００２】
楽譜を立てるスタンドのようなものが従来のブックスタンドである。
【考案の概要】
【考案が解決しようとする課題】
【０００３】
本を読む時、左手で本を支え、右手でページがバラケないように押えながら読むので、手が疲れてくる。
【課題を解決するための手段】
【０００４】
本の上端部及び下端部にそれぞれ当接する部分が湾曲状である上部基台と下部基台と本を立てかける為のフラット台を備えたブックスタンドであり、上部基台には溝状のガイドが設けられ、下部基台には複数のネジが設けられネジ穴とガイドを貫通し、上部基台と下部基台を蝶ネジにより固定する事を特徴とするブックスタンド。
【考案の効果】
【０００５】
組み立て式ブックスタンドには、次のような効果がある。
（１）  本を立てかけ出来るので楽な姿勢で読むことが出来る。
（２）  片手だけで本を読む事が出来るので手の疲れが少ない。
【図面の簡単な説明】
【０００６】
【図１】この考案の組み立て式ブックスタンドの正面図と一部の組立図
【図２】この考案の組み立て式ブックスタンドの側面図
【図３】この考案の組み立て式ブックスタンドの使用状態を示す図
【考案を実施するための形態】
【０００７】
組み立て式ブックスタンドは、図１及び図２のように、本の下端を支える下部基台１、本の下側のページを押える湾曲部１ａ、１ｂ、本の上部を支える上部基台２、本の上側のページを押える湾曲部２ａ、２ｂ、基台１、２を開く丁番３、本を乗せるフラット台４、フラット台をピン９にかけ固定する止め具５、上部基台２を下部基台１に固定する蝶ネジ６、本の高さに合わせ調整するためのガイド７、蝶ネジを止めるネジ穴８、フラット台４の止め具５をかけるピン９からなる。
【実施例】
【０００８】
本考案の組み立て式ブックスタンドは本を片手で持って、ページをめくる時だけもう一方の片手を使う楽な姿勢で本を読む事が出来る。特に電車の中で本を読む、寝ながら本を読みたい人は手が疲れず読むことが出来る。又机に立てかければページをめくる時だけ手を使用し本を読む事が出来る。
図１、２において組み立て式ブックスタンドは、９０度開閉できる下部基台１と上部基台２、本を立てかけるフラット台３から主に構成され、下部基台１と上部基台２のそれぞれ本の下端部と上端部に当接する部分は湾曲部１ａ、１ｂ及び湾曲部２ａ、２ｂとなっている。
【０００９】
この組み立て式ブックスタンドを組み立てる場合、下部基台１を開き下部基台２も開き、下部基台１に上部基台２に設けられたをガイド７に沿ってスライドさせ下部基台１に被せる。本の高さに合わせた所で、数個の蝶ネジ６で下部基台１に設けられたネジ穴８にネジ込み上部基台２を固定する。
【００１０】
使用方法は、図２及び図３のようにフラット台４に本を開いて置き、本の下端が下部基台１の湾曲部１ａ、１ｂにて本の下端を押えるようにし、上部基台２にて本の上端を押える為、上部基台を下にスライドさせながら上部基台の湾曲部２ａ、２ｂに係るように調整し、蝶ネジ６にて固定する。本をめくる時は各基台の湾曲部を乗り越える様に手を添えてめくり、めくった後も、手で添えて、各湾曲部に収める。
【符号の説明】
【００１１】
１  下部基台  （湾曲部１ａ、１ｂ）
２  上部基台  （湾曲部２ａ、２ｂ）
３  丁番
４  フラット台
５  止め具
６  蝶ネジ
７  ガイド（溝）
８  ネジ穴
９  ピン
【図１】
0003202611.tif 000003
【図２】
0003202611.tif 000004
【図３】
0003202611.tif 000005